(57)【要約】  【課題】  ２つの基板の間において高周波信号を確実に伝送させるとともに、高周波信号の伝送損失を低減することができ、さらにクラック等の破損を生じさせることなく効率良く製造可能な高周波伝送用回路基板およびこれを用いた高周波回路基板を提供すること。  【解決手段】  高周波伝送用回路基板は、第二の線路導体２ｂの他端側の誘電体基板１の一側面に、第二の線路導体２ｂの他端と接する一対の溝４が第二の線路導体２ｂの両側に設けられている。溝４によって高周波伝送用回路基板の接続部におけるインピーダンス不整合を緩和できるとともに、第二の線路導体２ｂに接する溝４によって高周波回路基板の高周波線路配線12と第二の線路導体１ｂとを正確に位置決めできる。【選択図】  図１
2006332317.tif 000002
【特許請求の範囲】
【請求項１】
誘電体基板と、該誘電体基板の上側主面に形成され、一端が電子部品に接続される第一の線路導体と、該第一の線路導体の周囲に所定間隔を設けて形成された第一の接地導体と、前記誘電体基板の下側主面に、前記第一の線路導体の他端に対向する位置から下側主面の端まで形成された第二の線路導体と、該第二の線路導体の周囲に所定間隔を設けて形成された第二の接地導体と、前記誘電体基板の内部に、前記第一の線路導体の他端から前記誘電体基板を介して対向する前記第二の線路導体の一端にかけて形成された線路接続導体と、該線路接続導体に隣接して前記第一の接地導体から前記第二の接地導体にかけて形成された接地接続導体とを具備した高周波伝送用回路基板において、前記第二の線路導体の他端側の前記誘電体基板の一側面に、前記第二の線路導体の他端と接する一対の溝が前記第二の線路導体の両側に設けられていることを特徴とする高周波伝送用回路基板。
【請求項２】
誘電体基板と、該誘電体基板の上側主面に形成され、一端が電子部品に接続される第一の線路導体と、前記誘電体基板の下側主面に前記第一の線路導体の他端に対向する位置から下側主面の端まで形成された第二の線路導体と、前記誘電体基板の内部に前記第一の線路導体の他端から前記誘電体基板を介して対向する前記第二の線路導体の一端にかけて形成された線路接続導体と、前記誘電体基板の内層に前記線路接続導体と所定の間隔を設けるとともに前記第一の線路導体および前記第二の線路導体と並行するように形成された内層接地導体層とを具備した高周波伝送用回路基板において、前記第二の線路導体の他端側の前記誘電体基板の一側面に、前記第二の線路導体の他端と接する一対の溝が前記第二の線路導体の両側に設けられていることを特徴とする高周波伝送用回路基板。
【請求項３】
前記一対の溝の間に位置する上側主面側の前記誘電体基板が除去されることによって段差部が形成されていることを特徴とする請求項１または請求項２に記載の高周波伝送用回路基板。
【請求項４】
上面に高周波線路配線が形成された電気回路基板の上面に、請求項１乃至請求項３のいずれかに記載の高周波伝送用回路基板の下側主面が載置されるとともに、前記第二の線路導体の他端が前記高周波線路配線に電気的に接続されていることを特徴とする高周波回路基板。
【発明の詳細な説明】
【技術分野】
【０００１】
本発明は、半導体素子等の高周波信号で作動する電子部品を搭載等するための高周波伝送用回路基板、およびこの高周波伝送用回路基板を電気回路基板に接続させた高周波回路基板に関し、高周波伝送用回路基板の高周波線路導体と電気回路基板の高周波線路配線とを正確かつ容易に位置決めして接続できる高周波伝送用回路基板およびこれを接続した高周波回路基板に関する。
【背景技術】
【０００２】
従来、マイクロ波帯やミリ波帯等の高周波信号で作動する半導体素子等の電子部品に接続させて高周波信号を伝送させるための高周波伝送用回路基板を外部の電気回路基板等のの高周波線路配線に接続させるために、高周波伝送用回路基板を電気回路基板上に表面実装した際に、高周波伝送用回路基板と電気回路基板間に存在するキャパシタンス成分が増大しないようにし、高周波信号を良好に伝送させるために、高周波伝送線路付近の高周波伝送用回路基板の誘電体を除去し溝を形成した高周波伝送用回路基板が用いられていた。このような、溝を有した高周波伝送用回路基板を図６に示す。
【０００３】
図６において、高周波伝送用回路基板は、誘電体基板21と、誘電体基板21の上側主面にその一端が電子部品26と接続される第一の線路導体22ａと、第一の線路導体22ａの周囲に所定間隔を設けて形成された第一の接地導体23ａとが形成され、誘電体基板21の下側主面の第一の線路導体22ａの他端に対向する位置から誘電体基板21の下側主面の端まで形成され、電気回路基板31との接続部を形成して成る第二の線路導体22ｂと、第二の線路導体22ｂの周囲に所定間隔を設けて形成された第二の接地導体23ｂとが形成され、第一の線路導体22ａの他端から第一の線路導体22ａに対向する第二の線路導体22ｂの一端にかけて線路接続導体22ｃが形成されるとともに誘電体基板21の端面に第一の接地導体23ａから第二の接地導体23ｂにかけて接地接続導体23ｃとが形成されて成り、第二の線路導体22ｂと第二の接地導体23ｂとの間に位置する誘電体基板21の下面に、溝24が設けられている。
【０００４】
誘電体基板21は、上面に高周波信号で作動する半導体素子等の電子部品26が載置される載置部21ａを有するアルミナセラミックスやガラスセラミックス等の無機系誘電体材料、あるいはポリイミドやガラスエポキシ等の有機系誘電体材料、あるいはセラミックス粉末等の無機誘電体粉末をエポキシ系樹脂等の熱硬化性樹脂で結合して成る複合誘電体材料等から成る誘電体基板であり、主にこの誘電体基板によって高周波伝送用回路基板が形成される。
【０００５】
また、誘電体基板21の上側主面に形成されその一端が電子部品26と接続される第一の線路導体22ａと、下側主面にその一端から誘電体基板21の下面の端まで形成され電気回路基板31との接続部を形成して成る第二の線路導体22ｂと、第一の線路導体22ａの他端から第二の線路導体22ｂの一端にかけて形成された線路接続導体22ｃとから線路導体22が成る。
【０００６】
誘電体基板21の上側主面の第一の線路導体22ａの周囲に所定間隔を設けて形成された第一の接地導体23ａと、誘電体基板21の下側主面の第二の線路導体22ｂの周囲に所定間隔を設けて形成された第二の接地導体23ｂと、誘電体基板21の端面の第一の接地導体23ａから第二の接地導体23ｂにかけて形成された接地接続導体23ｃとから接地導体23が成る。
【０００７】
線路導体22および接地導体23は、メタライズ導体や金属薄膜，金属箔，金属板等を用いて、厚膜印刷法あるいは各種の薄膜形成方法やメッキ処理法等により形成される。その厚みや形状，線路幅，線路導体22と接地導体23との間隔等は、線路導体22を伝送する高周波入出力信号の周波数や特性インピーダンス等に応じて適宜設定される。
【０００８】
そして、図６の高周波伝送用回路基板においては、第二の線路導体22ｂと第二の接地導体23ｂとの間に位置する誘電体基板21の下面に、溝24が設けられている。このように、誘電体基板21の上側主面に半導体素子等の電子部品26を載置するための載置部21ａが形成され、載置部21ａの周辺から誘電体基板21の下側主面の端にかけて電子部品26と電気回路基板31の高周波線路配線32とを電気的に導通接続するための線路導体22が形成され、また線路導体22に並行するようにして載置部21ａの周辺から誘電体基板21の下側主面の端にかけて接地導体23が形成されることによって、高周波伝送用回路基板と成る（例えば、特許文献１参照）。
【０００９】
そして、載置部21ａに電子部品26が載置固定されるとともに、第一の線路導体22ａの一端および第一の接地導体23ａにボンディングワイヤ等の電気的接続手段27を介して電子部品26が電気的に接続され、第二の線路導体22ｂの一端が導電性接着剤25を介して電気回路基板31の高周波線路配線32に接続され、第二の接地導体23ｂが導電性接着剤25を介して電気回路基板31の接地配線33に接続されることによって、電子部品26が電気回路基板31に接続され、電子部品26に高周波信号が入出力されることと成る。
【００１０】
そして、溝24を設けたことにより、高周波伝送用回路基板を構成する誘電体基板21とこの高周波伝送用回路基板が実装される電気回路基板31との間に発生するキャパシタンス成分を軽減することができ、誘電体基板21と電気回路基板31との間における電界集中が緩和されるため、高周波伝送用回路基板を電気回路基板31に表面実装した際の入出力部における高周波信号に対する高周波的なインピーダンス不整合を抑止し、高周波信号の損失を低く抑え、その結果、高周波信号を良好に伝送させることができる。
【特許文献１】特開2003−152124号公報
【発明の開示】
【発明が解決しようとする課題】
【００１１】
しかしながら、近年高周波伝送用回路基板に載置される電子部品26の作動周波数がより高いものとなってきており、高周波伝送用回路基板の第一の線路導体22ａおよび第二の線路導体22ｂを伝送する高周波信号に生ずる誘電体損失を有効に低減させるため、高周波伝送用回路基板を構成する誘電体基板21自体を薄型化する傾向にある。このように薄型化した誘電体基板21に溝24を設けると、溝24の上側の箇所で誘電体基板21が非常に薄いものとなってしまう。
【００１２】
そのため、誘電体基板21を所定の形状に作製するのが困難となり量産に適さなくなるとともに、溝24の上側の箇所で誘電体基板21の機械的強度が低下することから、溝24の上側の誘電体基板21部分でクラック等の破損が生じ易かった。そして、誘電体基板21にクラック等の破損が生じることにより、線路導体22が断線し、高周波信号を伝送できなくなるという問題点があった。この問題点は、特に誘電体基板21がアルミナセラミックスやガラスセラミックス等の無機系誘電体材料から成る場合に顕著に発生していた。
【００１３】
従って、本発明は上記従来の問題点に鑑みて完成されたものであり、その目的は、２つの基板の間において高周波信号を確実に伝送させるとともに、高周波信号の伝送損失を低減することができ、さらにクラック等の破損を生じさせることなく効率良く製造可能な高周波伝送用回路基板およびこれを用いた高周波回路基板を提供することである。
【課題を解決するための手段】
【００１４】
本発明の高周波伝送用回路基板は、誘電体基板と、該誘電体基板の上側主面に形成され、一端が電子部品に接続される第一の線路導体と、該第一の線路導体の周囲に所定間隔を設けて形成された第一の接地導体と、前記誘電体基板の下側主面に、前記第一の線路導体の他端に対向する位置から下側主面の端まで形成された第二の線路導体と、該第二の線路導体の周囲に所定間隔を設けて形成された第二の接地導体と、前記誘電体基板の内部に、前記第一の線路導体の他端から前記誘電体基板を介して対向する前記第二の線路導体の一端にかけて形成された線路接続導体と、該線路接続導体に隣接して前記第一の接地導体から前記第二の接地導体にかけて形成された接地接続導体とを具備した高周波伝送用回路基板において、前記第二の線路導体の他端側の前記誘電体基板の一側面に、前記第二の線路導体の他端と接する一対の溝が前記第二の線路導体の両側に設けられていることを特徴とする。
【００１５】
また本発明の高周波伝送用回路基板は、誘電体基板と、該誘電体基板の上側主面に形成され、一端が電子部品に接続される第一の線路導体と、前記誘電体基板の下側主面に前記第一の線路導体の他端に対向する位置から下側主面の端まで形成された第二の線路導体と、前記誘電体基板の内部に前記第一の線路導体の他端から前記誘電体基板を介して対向する前記第二の線路導体の一端にかけて形成された線路接続導体と、前記誘電体基板の内層に前記線路接続導体と所定の間隔を設けるとともに前記第一の線路導体および前記第二の線路導体と並行するように形成された内層接地導体層とを具備した高周波伝送用回路基板において、前記第二の線路導体の他端側の前記誘電体基板の一側面に、前記第二の線路導体の他端と接する一対の溝が前記第二の線路導体の両側に設けられていることを特徴とする。
【００１６】
本発明の高周波伝送用回路基板は、好ましくは、前記一対の溝の間に位置する上側主面側の前記誘電体基板が除去されることによって段差部が形成されていることを特徴とする。
【００１７】
本発明の高周波回路基板は、上面に高周波線路配線が形成された電気回路基板の上面に、上記構成の高周波伝送用回路基板の下側主面が載置されるとともに、前記第二の線路導体の他端が前記高周波線路配線に電気的に接続されていることを特徴とする。
【発明の効果】
【００１８】
本発明の高周波伝送用回路基板は、誘電体基板と、誘電体基板の上側主面に形成され、一端が電子部品に接続される第一の線路導体と、第一の線路導体の周囲に所定間隔を設けて形成された第一の接地導体と、誘電体基板の下側主面に、第一の線路導体の他端に対向する位置から下側主面の端まで形成された第二の線路導体と、第二の線路導体の周囲に所定間隔を設けて形成された第二の接地導体と、誘電体基板の内部に、第一の線路導体の他端から誘電体基板を介して対向する第二の線路導体の一端にかけて形成された線路接続導体と、線路接続導体に隣接して第一の接地導体から第二の接地導体にかけて形成された接地接続導体とを具備し、第二の線路導体の他端側の誘電体基板の一側面に、第二の線路導体の他端と接する一対の溝が第二の線路導体の両側に設けられていることから、第二の線路導体の他端の左右両側の誘電体が上下主面間で完全に除去され、高周波伝送用回路基板を構成する誘電体基板とこの高周波伝送用回路基板が実装される電気回路基板との間に発生するキャパシタンス成分を低減させることができ、高周波信号を良好に伝送させることができる。さらに、高周波伝送用回路基板の下側主面の第二の線路導体と第二の接地導体との間に溝を形成することがないので、誘電体基板に部分的に極端に厚みが薄くなる部分が生じることがない。
【００１９】
また、上下主面間を貫通する一対の溝は、誘電体基板の上下主面間を打ち抜いて形成できるため、誘電体基板が薄型化しても溝を設けるための加工が容易であるとともに、部分的に厚みが極端に薄い誘電体基板とする必要がないことから、誘電体基板の取扱いが容易であり、量産に適したものとなる。そして、線路導体が断線しにくく、高周波信号を良好に伝送し得る高周波伝送用回路基板とできる。
【００２０】
また、本発明の高周波伝送用回路基板は、誘電体基板と、誘電体基板の上側主面に形成され、一端が電子部品に接続される第一の線路導体と、誘電体基板の下側主面に第一の線路導体の他端に対向する位置から下側主面の端まで形成された第二の線路導体と、誘電体基板の内部に第一の線路導体の他端から誘電体基板を介して対向する第二の線路導体の一端にかけて形成された線路接続導体と、誘電体基板の内層に線路接続導体と所定の間隔を設けるとともに第一の線路導体および第二の線路導体と並行するように形成された内層接地導体層とを具備し、第二の線路導体の他端側の誘電体基板の一側面に、第二の線路導体の他端と接する一対の溝が第二の線路導体の両側に設けられていることから、第二の線路導体の他端の左右両側の誘電体が上下主面間で完全に除去され、高周波伝送用回路基板を構成する誘電体基板とこの高周波伝送用回路基板が実装される電気回路基板との間に発生するキャパシタンス成分を低減させることができ、高周波信号を良好に伝送させることができる。さらに、高周波伝送用回路基板の下側主面の第二の線路導体と第二の接地導体との間に溝を形成することがないので、誘電体基板に部分的に極端に厚みが薄くなる部分が生じることがない。
【００２１】
また、上下主面間を貫通する一対の溝は、誘電体基板の上下主面間を打ち抜いて形成できるため、誘電体基板が薄型化しても溝を設けるための加工が容易であるとともに、部分的に厚みが極端に薄い誘電体基板とする必要がないことから、誘電体基板の取扱いが容易であり、量産に適したものとなる。そして、線路導体が断線しにくく、高周波信号を良好に伝送し得る高周波伝送用回路基板とできる。
【００２２】
本発明の高周波伝送用回路基板は、好ましくは、一対の溝の間に位置する上側主面側の誘電体基板が除去されることによって段差部が形成されていることから、高周波伝送用回路基板を構成する誘電体基板とこの高周波伝送用回路基板が実装される電気回路基板との接続部付近に発生するキャパシタンス成分をさらに軽減することができ、高周波伝送用回路基板を電気回路基板に表面実装した際の入出力部における高周波信号に対する高周波的なインピーダンス不整合を抑止し、高周波信号を良好に伝送させ得るものとできる。
【００２３】
また、段差部となっている箇所では誘電体基板が薄いものとなってしまうが、段差部となっている箇所は一対の溝の間に位置する上側主面側だけであり、段差部における誘電体基板の機械的強度が大幅に低減するということはない。
【００２４】
本発明の高周波回路基板は、上面に高周波線路配線が形成された電気回路基板の上面に、上記構成の高周波伝送用回路基板の下側主面が載置されるとともに、第二の線路導体の他端が高周波線路配線に電気的に接続されていることによって、高周波伝送用回路基板の下側主面に形成された第二の線路導体と第二の接地導体とがそれぞれ電気回路基板の上面の高周波線路配線と接地配線とに電気的に接続され、第二の線路導体の他端の左右両側の誘電体が上下主面間で完全に除去されているので、高周波伝送用回路基板を構成する誘電体基板とこの高周波伝送用回路基板が実装される電気回路基板との間に発生するキャパシタンス成分を軽減させることができ、その結果、電気回路基板に高周波伝送用回路基板が接続された高周波回路基板に高周波信号が良好に伝送される。
【００２５】
また、一対の溝が第二の線路導体の他端と接するように第二の線路導体の左右両側に設けられており、この溝によって誘電体が上下主面間に亘って完全に除去されていることから、高周波伝送用回路基板を電気回路基板に実装する際に、高周波伝送用回路基板の上側主面側から一対の溝を目視することによって、第二の線路導体の位置および線路幅が判り、電気回路基板の高周波線路配線との位置合わせを正確かつ効率良く行なうことができる。これにより、第二の線路導体を高周波線路配線の所定の位置に正確に位置合わせして接続することができる。従って、第二の線路導体と高周波線路配線との接続部におけるインピーダンス値を所定値内に整合させ、接続部を伝送する高周波信号に生じる反射損失や透過損失を低減することができ、高周波信号の伝送効率を良好なものとすることができる。また、位置合わせ作業が容易なものとなるので、極めて生産性のよい高周波回路基板となる。
【００２６】
さらには、高周波伝送用回路基板の上側から高周波伝送用回路基板の第二の線路導体と電気回路基板の高周波線路配線とを接続する導電性接着剤の流れ具合を確認することができる。そして、第二の線路導体と高周波線路配線との接着不良の有無の確認とともに、第二の線路導体または高周波線路配線と、第二の接地導体または接地配線との間での電気的短絡の有無も確認することができる。その結果、２つの基板の間において高周波信号を確実に伝送させることができる高周波回路基板を提供することができる。
【発明を実施するための最良の形態】
【００２７】
本発明の高周波伝送用回路基板および高周波回路基板について以下に詳細に説明する。図１（ａ）は本発明の高周波伝送用回路基板を電気回路基板に接続した本発明の高周波回路基板の実施の形態の一例を示す斜視図、図１（ｂ）は図１（ａ）で用いられる高周波伝送用回路基板の下面図、図１（ｃ）は図１（ａ）の第一および第二の線路導体および高周波線路配線の中央部における断面図、図２は本発明の高周波回路基板の実施の形態の他の例を示す斜視図、図３は本発明の高周波回路基板の実施の形態の他の例を示す斜視図、図４は本発明の高周波回路基板の実施の形態のさらに他の例を示す斜視図、図５（ａ）〜（ｃ）は高周波伝送用回路基板の実施の形態の他の例を示し、溝周辺の要部拡大平面図である。
【００２８】
これらの図において、１は誘電体基板、２は線路導体（２ａは第一の線路導体、２ｂは第二の線路導体、２ｃは線路接続導体）、３は接地導体（３ａは第一の接地導体、３ｂは第二の接地導体、３ｃは接地接続導体、３ｄは内層接地導体層）、４は溝、５は導電性接着剤、６は電子部品、７は電気的接続手段、11は電気回路基板、12は高周波線路配線、13は接地配線である。なお、線路導体２は第一の線路導体２ａと第二の線路導体２ｂと線路接続導体２ｃとから成り、接地導体３は、第一の接地導体３ａと第二の接地導体３ｂと接地接続導体３ｃとから成るか、または内層接地導体層３ｄから成る。なお、図１（ａ），図１（ｂ），図２，図３，図４，図５（ｂ），図５（ｃ）において、導体が形成されている基板表面部には便宜的にクロスハッチングを付している。従って、これらクロスハッチング部は、断面を示すものではない。
【００２９】
本発明の高周波伝送用回路基板は、図１に示されるように、誘電体基板１と、誘電体基板１の上側主面に形成され、一端が電子部品６に接続される第一の線路導体２ａと、第一の線路導体２ａの周囲に所定間隔を設けて形成された第一の接地導体３ａと、誘電体基板１の下側主面に、第一の線路導体２ａの他端に対向する位置から下側主面の端まで形成された第二の線路導体２ｂと、第二の線路導体２ｂの周囲に所定間隔を設けて形成された第二の接地導体３ｂと、誘電体基板１の内部に、第一の線路導体２ａの他端から誘電体基板１を介して対向する第二の線路導体２ｂの一端にかけて貫通導体によって形成された線路接続導体２ｃと、線路接続導体２ｃに隣接して第一の接地導体３ａから第二の接地導体３ｂにかけて誘電体基板１の側面に形成された接地接続導体３ｃとを具備し、第二の線路導体２ｂの他端側の誘電体基板１の一側面に、第二の線路導体２ｂの他端と接する一対の溝４が第二の線路導体２ｂの両側に設けられているものである。
【００３０】
また本発明の高周波伝送用回路基板は、図３に示されるように、誘電体基板１と、誘電体基板１の上側主面に形成され、一端が電子部品６に接続される第一の線路導体２ａと、誘電体基板１の下側主面に第一の線路導体２ａの他端に対向する位置から下側主面の端まで形成された第二の線路導体２ｂと、誘電体基板１の内部に第一の線路導体２ａの他端から誘電体基板１を介して対向する第二の線路導体２ｂの一端にかけて貫通導体によって形成された線路接続導体２ｃと、誘電体基板１の内層に線路接続導体２ｃと所定の間隔を設けるとともに第一の線路導体２ａおよび第二の線路導体２ｂと並行するように形成された内層接地導体層３ｄとを具備し、第二の線路導体２ｂの他端側の誘電体基板１の一側面に、第二の線路導体２ｂの他端と接する一対の溝４が第二の線路導体２ｂの両側に設けられているものである。
【００３１】
本発明の高周波伝送用回路基板は、好ましくは、図２，図４に示されるように、一対の溝４の間に位置する上側主面側の誘電体基板11が除去されることによって段差部８が形成されているものである。
【００３２】
本発明の高周波回路基板は、上面に高周波線路配線12が形成された電気回路基板11の上面に、上記構成の高周波伝送用回路基板の下側主面が載置されるとともに、第二の線路導体２ｂの他端が高周波線路配線12に電気的に接続されているものである。なお、高周波伝送用回路基板に第二の接地導体３ｂが設けられている場合は、第二の接地導体３ｂが電気回路基板11の接地配線13に電気的に接続される。
【００３３】
図１〜図５においては、高周波伝送用回路基板と電気回路基板11との高周波伝送線路の接続は導電性接着剤５を用いた形態を示す。また、第一の線路導体２ａの一端には、載置部１ａの上面に載置固定された高周波用半導体素子等の電子部品６の電極と第一の線路導体および第一の接地導体とが電気的接続手段７としてのボンディングワイヤを用いて電気的に接続されている形態を示す。
【００３４】
また、載置部１ａには、電子部品６が接着固定されるための導体層（図示せず）が形成されている。電子部品６は、この導体層に銀（Ａｇ）ロウ、金（Ａｕ）−錫（Ｓｎ）半田やＡｇエポキシ（Ａｇの金属粉末を含有するエポキシ樹脂）等の導電性接合材を介して接着される。
【００３５】
本発明における誘電体基板１は、アルミナ質焼結体や窒化アルミニウム質焼結体，ムライト質焼結体，ガラスセラミックス等のセラミックス、または、エポキシ樹脂等の樹脂から成る。
【００３６】
誘電体基板１は、図１，図２に示されるように、上側主面に電子部品６を載置する載置部１ａを有し、誘電体基板１の上側主面にその一端が電子部品６と接続される第一の線路導体２ａと、第一の線路導体２ａの周囲に所定間隔を設けて形成された第一の接地導体３ａとが形成され、誘電体基板１の下側主面に、その一端が第一の線路導体２ａの他端と対向し、他端が誘電体基板１の下側主面の端まで形成されるとともに、この他端が電気回路基板11の高周波線路配線12に接続される第二の線路導体２ｂと、第二の線路導体２ｂの周囲に所定間隔を設けて形成された第二の接地導体３ｂとが形成され、第一の線路導体２ａの他端から第二の線路導体２ｂの一端にかけて線路接続導体２ｃが形成されるとともに第一の接地導体３ａから第二の接地導体３ｂにかけて接地接続導体３ｃが形成される。そして、線路接続導体２ｃおよび接地接続導体３ｃによって、誘電体基板１の上下主面間で高周波信号の伝送が行われる。即ち、線路導体２は第一の線路導体２ａと第二の線路導体２ｂと線路接続導体２ｃとから成り、接地導体３は、第一の接地導体３ａと第二の接地導体３ｂと接地接続導体３ｃとから成ることによって高周波信号の伝送が行なわれる。
【００３７】
また、誘電体基板１の端の第二の線路導体２ｂと高周波線路配線12との接続部の幅方向の両側に上下主面間を貫通する一対の溝４が、その第二の線路導体２ｂ側の側面が第二の線路導体２ｂと接するように形成される。
【００３８】
または、誘電体基板１の接地導体３は、図３，図４に示されるように、第一の接地導体３ａと第二の接地導体３ｂと接地接続導体３ｃとが設けられる代わりに、内層接地導体層３ｄが誘電体基板１の内層に線路接続導体２ｃと接続しないように所定の間隔を設けるとともに第一の線路導体２ａおよび第二の線路導体２ｂと並行するように形成されていてもよい。
【００３９】
また、電気回路基板11は、エポキシ樹脂等の樹脂、または、アルミナ質焼結体や窒化アルミニウム質焼結体，ムライト質焼結体，ガラスセラミックス等のセラミックスから成り、上面に高周波線路配線12と高周波線路配線12の両側に所定間隔をあけて形成された接地配線13とを有している。
【００４０】
誘電体基板１がセラミックスから成る場合、線路導体２および接地導体３はメタライズ法により形成されているのがよい。
【００４１】
まず、図１，図２に示されるように、接地導体３が第一の接地導体３ａと第二の接地導体３ｂと接地接続導体３ｃとから成る場合、誘電体基板１と成るセラミックグリーンシートの上側主面に第１の線路導体２ａおよび第１の接地導体３ａと成るタングステン（Ｗ），モリブデン（Ｍｏ），マンガン（Ｍｎ）等から成る金属ペーストがスクリーン印刷法によって印刷塗布され、その下側主面に第２の線路導体２ｂおよび第２の接地導体３ｂと成るＷ，Ｍｏ，Ｍｎ等から成る金属ペーストがスクリーン印刷法によって印刷塗布される。さらに、誘電体基板１の第１の線路導体２ａの他端と第２の線路導体２ｂの一端とを接続するようにして誘電体基板１の上下主面間を貫通する貫通孔が形成され、この貫通孔に線路接続導体２ｃと成るＷ，Ｍｏ，Ｍｎ等から成る金属ペーストが吸引法等によって形成される。貫通孔内の線路接続導体２ｃは、金属導体が貫通孔内を充填するように形成されてもよいし、貫通孔の内壁を覆うように形成されて内側が空洞状に形成されてもよい。
【００４２】
また、第１の接地導体３ａと第２の接地導体３ｂとを接続するようにして誘電体基板１の側面に接地接続導体３ｃと成るＷ，Ｍｏ，Ｍｎ等から成る金属ペーストがスクリーン印刷法等の印刷法によって印刷塗布される。または、誘電体基板１の側面にキャスタレーション（切り欠き）を設けるとともに、このキャスタレーションの内面に接地接続導体３ｃと成るＷ，Ｍｏ，Ｍｎ等から成る金属ペーストが塗布される。または、第１の接地導体３ａと第２の接地導体３ｂとを接続するようにして誘電体基板１の上下主面間を貫通する貫通孔が形成され、この貫通孔に接地接続導体３ｃと成るＷ，Ｍｏ，Ｍｎ等から成る金属ペーストが吸引法等によって充填されるか内壁を覆うように形成される。誘電体基板１が複数枚のセラミックグリーンシートが積層されて成る場合は、しかる後、複数枚のセラミックグリーンシートを積層することによって、誘電体基板１と成るセラミック生積層体が形成される。
【００４３】
以上のようにして、誘電体基板１と成るセラミックグリーンシートの上側主面に第１の線路導体２ａおよび第１の接地導体３ａと成る金属ペーストが、下側主面に第２の線路導体２ｂおよび第２の接地導体３ｂと成る金属ペーストが、上下主面間にかけて線路接続導体２ｃおよび接地接続導体３ｃと成る金属ペーストが施された後、誘電体基板１が高温炉に投入されることによって、誘電体基板１と成るセラミックグリーンシートが焼成され、セラミック基板と成るとともに、これらの金属ペーストが焼成されメタライズ導体と成る。
【００４４】
次に、図３，図４に示されるように、接地導体３が内層接地導体層３ｄから成る場合、誘電体基板１の上側主面と成るセラミックグリーンシートの上側主面に第１の線路導体２ａと成るＷ，Ｍｏ，Ｍｎ等から成る金属ペーストがスクリーン印刷法によって印刷塗布され、その下側主面となるセラミックグリーンシートの下側主面に第２の線路導体２ｂと成るＷ，Ｍｏ，Ｍｎ等から成る金属ペーストがスクリーン印刷法によって印刷塗布される。さらに、誘電体基板１の内層と成るセラミックグリーンシートの一主面に内層接地導体層３ｄと成るＷ，Ｍｏ，Ｍｎ等から成る金属ペーストが線路接続導体３ｃが形成される周囲を除いてスクリーン印刷法によって印刷塗布される。さらに、誘電体基板１の第１の線路導体２ａの他端と第２の線路導体２ｂの他端とを接続するようにして誘電体基板１の上下主面間を貫通する貫通孔が形成され、この貫通孔に線路接続導体２ｃと成るＷ，Ｍｏ，Ｍｎ等から成る金属ペーストが吸引法等によって充填される。しかる後、複数枚のセラミックグリーンシートを積層することによって、誘電体基板１と成るセラミック生積層体が形成される。
【００４５】
以上のようにして、誘電体基板１と成るセラミックグリーンシートの上側主面に第１の線路導体２ａと成る金属ペーストが、下側主面に第２の線路導体２ｂと成る金属ペーストが、誘電体基板１の内層と成るセラミックグリーンシートの一主面に内層接地導体層３ｄと成る金属ペーストが、上下主面間にかけて線路接続導体２ｃと成る金属ペーストが施された後、誘電体基板１と成るセラミック生積層体が高温炉に投入されることによって、誘電体基板１と成るセラミックグリーンシートが焼成されセラミック基板と成るとともに、これらの金属ペーストが焼成されメタライズ導体と成る。
【００４６】
なお、図示しないが、接地導体３は、図１，図２に示される形態と図３，図４に示される形態とが組み合わされ、第一の接地導体３ａと第二の接地導体３ｂと接地接続導体３ｃと内層接地導体層３ｄとから成っていてもよく、この構成により、線路導体２に対する接地電位を強化することができ、効率良く高周波信号の伝送を行なうことができるものとなる。
【００４７】
また、図３，図４に示される形態において、電気回路基板11は図１，図２のような高周波線路配線12の周囲に所定間隔を設けて接地配線13が形成されたコプレーナ型としてもよく、この場合は、内層接地導体３ｄは接地接続導体３ｃ等により接地配線13に接続される。電気回路基板11が図４のようなマイクロストリップ型である場合は、内層接地導体３ｄは電気回路基板11の下側主面に設けられた接地配線（図示せず）に接続される。
【００４８】
なお、第１の線路導体２ａおよび第１の接地導体３ａ、第２の線路導体２ｂおよび第２の接地導体３ｂは薄膜形成法によって形成されていてもよく、その場合、第１の線路導体２ａは窒化タンタル（Ｔａ２Ｎ），ニクロム（Ｎｉ−Ｃｒ合金），チタン（Ｔｉ），パラジウム（Ｐｄ），白金（Ｐｔ）等から形成され、誘電体基板１と成るセラミックグリーンシートを焼成した後にスパッタリング等の薄膜形成法により形成される。
【００４９】
さらに、誘電体基板１の第二の線路導体２ｂおよび高周波線路配線12の接続部となる一側面において、第二の線路導体２ｂの幅方向の両側には、図１（ａ），（ｂ）に示すように、上下主面間を貫通する一対の溝４が第二の線路導体２ｂの幅方向両端に接するように形成されている。この溝４は誘電体基板１がセラミックスから成る場合、誘電体基板１と成るセラミックグリーンシートの所定の位置に上下主面間を貫通する貫通孔を打ち抜き、次いでセラミックグリーンシートを貫通孔の中央で分断するように分割した後に焼成することによって形成される。
【００５０】
以上により、誘電体基板１の上下主面間で高周波信号の伝送を行なうことが可能な高周波伝送用回路基板と成る。
【００５１】
電気回路基板11は、高周波伝送用回路基板と同様、セラミックスから成る場合、その上面に高周波線路配線12および接地配線13がＷ，Ｍｏ，Ｍｎ等から成る金属ペーストを高温で焼成して形成される。または、高周波線路配線12および接地配線13は、Ｔａ２Ｎ，Ｎｉ−Ｃｒ合金，Ｔｉ，Ｐｄ，Ｐｔ等から形成され、セラミックグリーンシートを焼成した後にスパッタリング等の薄膜形成法により形成される。
【００５２】
この電気回路基板11の上面に上記の高周波伝送用回路基板の下側主面が載置され、その後、高周波伝送用回路基板の下側主面に形成された第二の線路導体２ｂの他端と第二の接地導体３ｂとがそれぞれ高周波線路配線12と接地配線13とに電気的に接続され、高周波信号の伝送を行なうことが可能な高周波回路基板と成る。
【００５３】
高周波伝送用回路基板は、誘電体基板１の一側面の第二の線路導体２ｂの幅方向の両端に接するように上下主面間を貫通する一対の溝４が形成されている構成により、従来のように高周波伝送用回路基板の下側主面の第二の線路導体22ｂと第二の接地導体23ｂとの間に溝を形成することがないので、誘電体基板１に部分的に極端に厚みが薄くなる部分が生じるということがない。また、第二の線路導体２ｂの左右両側の誘電体が上下主面間で完全に除去され、誘電体基板１の一側面から奥側において高周波線路配線12および接地配線13の上面が誘電体基板１に挟まれることにより生じるキャパシタンス成分が、高周波線路配線12と接地配線13とがこの溝４を挟んで配置されることによって急激に変化することがなく、また、高周波伝送用回路基板の第一の接地導体３ａとこの高周波伝送用回路基板が実装される電気回路基板の高周波線路配線12との間に発生するキャパシタンス成分が急激に変化するのを緩和させることができ、高周波信号を良好に伝送させることができる。
【００５４】
また、上下主面間を貫通する一対の溝４は、誘電体基板１の上下主面間を打ち抜いて形成できる構造であるため、誘電体基板１が薄型化しても溝４を設けるための加工が容易であるとともに、従来のように部分的に厚みが極端に薄い誘電体基板21とする必要がないことから、誘電体基板１の取扱いが容易であり、量産に適した高周波伝送用回路基板とすることができる。
【００５５】
また、一対の溝４が第二の線路導体２ｂの他端と接するように第二の線路導体２ｂの左右両側に設けられており、誘電体が上下主面間に亘って完全に除去されていることから、高周波伝送用回路基板を電気回路基板11に実装する際に、高周波伝送用回路基板の上側主面側から一対の溝４を目視することによって、第二の線路導体２ｂの位置および線路幅の大きさが判り、高周波線路配線12との位置合わせを正確かつ効率良く行なうことができる。特に、高周波伝送用回路基板の第二の線路導体２ｂの幅と電気回路基板11の高周波線路配線12とがほぼ同じ線路幅である場合、両側の溝４の内側に高周波線路配線12が見えなくなる位置に高周波伝送用回路基板を載置することにより、高周波伝送用回路基板と電気回路基板11とを極めて正確に位置合わせすることができる。
【００５６】
これにより、第二の線路導体２ｂを高周波線路配線12の所定の位置に正確に位置合わせして接続することができる。従って、第二の線路導体２ｂと高周波線路配線12との接続部におけるインピーダンス値を所定値内に整合させ、接続部を伝送する高周波信号に生じる反射損失や透過損失を低減することができ、高周波信号の伝送効率を良好なものとすることができる。また、位置合わせ作業が容易なものとなるので、生産性のよい高周波回路基板とすることができる。
【００５７】
さらには、高周波伝送用回路基板の上側から高周波伝送用回路基板の第二の線路導体２ｂと電気回路基板11の高周波線路配線12とを接続する導電性接着剤５の流れ具合を確認することができる。そして、第二の線路導体２ｂと高周波線路配線12との接着不良の有無の確認とともに、第二の線路導体２ｂまたは高周波線路配線12と、第二の接地導体３ｂまたは接地配線13との間での電気的短絡の有無も確認することができる。その結果、２つの基板の間において高周波信号を確実に伝送させることができる高周波回路基板を実現することができる。
【００５８】
高周波伝送用回路基板は、好ましくは、図２，図４に示すように一対の溝４の間に位置する上側主面側の誘電体基板１が除去されることによって段差部８が形成されているのがよい。この構成により、誘電体基板１の一側面における高周波線路配線12と接地配線13との間のキャパシタンス成分の急激な変化や、高周波伝送用回路基板の第一の接地導体３ａとこの高周波伝送用回路基板が実装される電気回路基板11の高周波線路配線12との接続部付近に発生するキャパシタンス成分の急激な変化をさらに緩和することができ、高周波伝送用回路基板を電気回路基板11に表面実装した際の高周波信号に対する高周波的なインピーダンス不整合を緩やかにし、高周波信号を良好に伝送させることができる高周波回路基板となる。
【００５９】
また、段差部８となっている箇所では誘電体基板１が薄いものとなってしまうが、段差部８となっている箇所は一対の溝４の間に位置する上側主面側だけであり、段差部８における誘電体基板１の機械的強度が大幅に低減するということはない。段差部８の上面や側面は、図２，図３に示されるように、傾斜面とするとキャパシタンス成分の急激な変化をより緩和できる点でよいし、機械的強度の点でもよい。
【００６０】
なお、溝４の平面視形状は、種々の形状とすることができる。図１（ａ），図１（ｂ），図２，図３，図４に示すような半円形状である他に、図５（ａ）に示すような四角形状であってもよい。図１（ａ），図１（ｂ），図２，図３，図４に示すような半円形状であれば、溝４の平面視形状が曲線状と成ることから、溝４の内側面における応力集中点がなくなり、溝４を起点に誘電体基板１にクラック等の破損が生じ難くなるとともに、キャパシタンス成分の急激な変化を緩和しやすい。また、図５（ａ）に示すような四角形状であることにより、溝４の側面と高周波線路配線12の側面との位置合わせが容易となり、高周波伝送用回路基板を電気回路基板11に対して正確かつ作業効率良く位置合わせすることが可能と成る。
【００６１】
また好ましくは、溝４の平面視形状は、図５（ｂ）に示すような逆Ｌ字形状や図５（ｃ）に示すような台形状であってもよい。図５（ｂ）に示すような逆Ｌ字形状である場合、溝４の幅の狭い第二の線路導体２ｂの先端側では、一対の溝４の間に位置する誘電体基板１の幅を高周波線路配線12と同じ幅とし、溝４の幅が広い溝４の底側では、一対の溝４の間に位置する誘電体基板１の幅を高周波線路配線12よりも幅狭にする。この構成により、高周波伝送用回路基板を電気回路基板11に実装する際に、高周波伝送用回路基板の上側から溝４を観察することによって、溝４の幅の狭い第二の線路導体１ｂの先端側において、一対の溝４の間に位置する誘電体基板１によって高周波線路配線12を完全に覆うように位置合わせをすると、溝４の幅の広い底側において、高周波線路配線12が溝４から左右均等に露出することと成るので、高周波伝送用回路基板の第二の線路導体２ｂと電気回路基板11の高周波線路配線12とを接続するための導電性接着剤５の流れ具合を容易に確認することができ、高周波伝送用回路基板の第二の線路導体２ｂと電気回路基板11の高周波線路配線12との機械的な接合が強固に行なわれていることを容易に確認することができる。従って、第二の線路導体２ｂおよび高周波線路配線12が正常に接続されていることを即座に確認することができる。
【００６２】
また、図５（ｃ）に示すような台形状の溝４である場合、溝４の誘電体基板１の第二の線路導体２ｂの先端側では、一対の溝４の間に位置する誘電体基板１の幅が高周波線路配線12と同じ幅とし、溝４の幅が広い溝４の底側では、一対の溝４の間に位置する誘電体基板１の幅を高周波線路配線12よりも幅狭にする。この構成により、高周波伝送用回路基板を電気回路基板11に実装する際に、高周波伝送用回路基板の上側から溝４を観察することによって、溝４の幅の狭い第二の線路導体１ｂ先端側において、一対の溝４の間に位置する誘電体基板１によって高周波線路配線12を完全に覆うように位置合わせをすると、溝４の幅の広い底側において、高周波線路配線12が溝４から左右均等に露出することと成るので、高周波伝送用回路基板の第二の線路導体２ｂと電気回路基板11の高周波線路配線12とを接続するための導電性接着剤５の流れ具合を容易に確認することができ、高周波伝送用回路基板の第二の線路導体２ｂと電気回路基板11の高周波線路配線12との機械的な接合が強固に行なわれていることを容易に確認することができる。従って、第二の線路導体２ｂおよび高周波線路配線12が正常に接続されていることを即座に確認することができる。
【００６３】
溝４のその他の形状として、半円よりも大きな円弧形状や、図５（ｃ）に示す台形状の斜辺が円弧状である形状等であってもよく、その他種々の形状とし得る。例えば、一対の溝４の底側の幅が狭くかつ底側で第二の線路導体２ｂの両側に接する溝４とし、第二の線路導体２ｂの先端側で溝４の幅が広くなるとともに一対の溝４の間の誘電体基板１の幅が狭くなり、第二の線路導体２ｂの先端が漸次幅狭となるような台形状としてもよい。また、この台形状の斜辺を階段状とし、各階段状のステップの幅が所定の大きさとなるようにしておけば、第二の線路導体２ｂの先端から左右何段目のステップが高周波線路配線12の縁と重なるかを見ることによって、左右方向にどれだけ位置がずれているのかを具体的に即座に計算することができ、位置合わせ作業を早くすることができる。
【００６４】
溝４の幅は、図１，図２のように高周波線路配線12と接地配線13との間より狭いものとしても、同じ幅としてもよい。高周波線路配線12を伝送する高周波信号の伝送特性を重視する場合、好ましくは、溝４の幅は高周波線路配線12と接地配線13との間と同じ幅とするのがよく、キャパシタンス成分の変化を有効に緩和することができる。但し、溝４の大きさが大きくなり、溝４を起点に誘電体基板１にクラック等の破損が生じやすくなるので、誘電体基板１が薄い場合、注意が必要である。
【００６５】
また、溝４の深さは、溝４の幅以下の寸法であるのがよい。これにより、溝４の大きさが大きくなりすぎるのを防止し、溝４を起点に誘電体基板１にクラック等の破損が生じ易くなるのを防止することができる。また、溝４の深さは、高周波線路配線12に伝送される高周波信号の波長の１／４の整数倍としてもよい。
【００６６】
なお、第一の線路導体２ａと第二の線路導体２ｂ、第一の接地導体３ａと第二の接地導体３ｂと接地接続導体３ｃ、高周波線路配線12と接地配線13の露出する表面には、ニッケル（Ｎｉ）や金（Ａｕ）等の耐食性に優れる金属を１〜20μｍ程度の厚さで被着させておくのが良く、線路導体２および接地導体３の酸化腐食を有効に防止し得るとともに、線路導体２と高周波線路配線12との接続、接地導体３と接地配線13との接続、および電子部品６と第一の線路導体２とのボンディングワイヤ等の電気的接続手段７を介しての接続を強固にし得る。従って、第一の線路導体２の露出表面には、例えば、厚さ１〜10μｍ程度のＮｉメッキ層と厚さ0.1〜３μｍ程度のＡｕメッキ層とが電解メッキ法や無電解メッキ法により順次被着されているのがより好ましい。
【００６７】
そして、載置部１ａの上面に半導体素子等の電子部品６が載置固定され、第一の線路導体２ａの一端（載置部１ａ側の端）および第一の接地導体３ａにボンディングワイヤ等の電気的接続手段７により接続され、さらに第二の線路導体２ｂの他端（誘電体基板１の一側面側）がＡｇロウ、Ａｕ−Ｓｎ半田やＡｇエポキシ等の導電性接着剤５を介して高周波線路配線12に機械的かつ電気的に接合され、第二の接地導体３ｂがＡｇロウ、Ａｕ−Ｓｎ半田やＡｇエポキシ等の導電性接着剤５を介して接地配線13に機械的かつ電気的に接合されることによって、電子部品６が電気回路基板11の高周波線路配線に接続され、第一の線路導体２ａと第二の線路導体２ｂと線路接続導体２ｃとから成る線路導体２は、電子部品６と電気回路基板11との間で高周波信号を入出力させるための高周波伝送線路として機能する。
【００６８】
また、図４に示される本発明の高周波回路基板の実施の形態の他の例として、好ましくは、第二の線路導体２ｂの高周波線路配線12との接続部において、第二の線路導体２ｂは所定の特性インピーダンス値と成る線路幅よりも幅狭となっている（図示せず）のがよく、この構成により、特性インピーダンス値を有する高周波線路配線12の上に第二の線路導体２ｂが載置されて接続される際に、高周波線路配線12に付加される容量成分によって、インピーダンス値が低下するのを最小限に抑えることができる。その結果、第二の線路導体２ｂの高周波線路配線12との接続部におけるインピーダンス値が、所定の特性インピーダンス値から大幅に低下して、高周波信号が効率良く伝送できなくなるのを防止できる。
【００６９】
なお、本発明は以上の実施の形態の例に限定されず、本発明の要旨を逸脱しない範囲内であれば種々の変更を行なうことは何等支障ない。例えば、誘電体基板１は、電子部品収納用パッケージ内に配置される基板に用いられるものであってもよい。
【図面の簡単な説明】
【００７０】
【図１】（ａ）は高周波回路基板の実施の形態の一例を示す斜視図、（ｂ）は（ａ）で用いられる高周波伝送用回路基板の下面図、（ｃ）は（ａ）の断面図である。
【図２】本発明の高周波回路基板の実施の形態の他の例を示す斜視図である。
【図３】本発明の高周波回路基板の実施の形態の他の例を示す斜視図である。
【図４】本発明の高周波回路基板の実施の形態のさらに他の例を示す斜視図である。
【図５】（ａ）〜（ｃ）は高周波伝送用回路基板の実施の形態の他の例を示し、溝周辺の要部拡大平面図である。
【図６】従来の高周波伝送線路の接続構造の例を示す平面図である。
【符号の説明】
【００７１】
１：誘電体基板
２：線路導体
２ａ：第一の線路導体
２ｂ：第二の線路導体
２ｃ：線路接続導体
３：接地導体
３ａ：第一の接地導体
３ｂ：第二の接地導体
３ｃ：接地接続導体
３ｄ：内層接地導体
４：溝
６：電子部品
８：段差部
11：電気回路基板
12：高周波線路配線
13：接地配線
【図１】
2006332317.tif 000003
【図２】
2006332317.tif 000004
【図３】
2006332317.tif 000005
【図４】
2006332317.tif 000006
【図５】
2006332317.tif 000007
【図６】
2006332317.tif 000008